【手続補正書】
【提出日】平成19年6月6日(2007.6.6)
【手続補正１】
【補正対象書類名】明細書
【補正対象項目名】発明の名称
【補正方法】変更
【補正の内容】
【発明の名称】ＥＬ表示装置及びその作製方法、並びに自発光型素子
【手続補正２】
【補正対象書類名】明細書
【補正対象項目名】特許請求の範囲
【補正方法】変更
【補正の内容】
【特許請求の範囲】
【請求項１】
陽極、発光層及び陰極を含むＥＬ素子を有し、
前記発光層は、少なくとも発光領域と非発光領域を含み、
前記発光領域は、
前記陽極と前記発光層との間の界面に接し、前記発光層中に設けられた第１の領域と、
前記陰極と前記発光層との間の界面に接し、前記発光層中に設けられた第２の領域と、
を有し、
前記第１及び第２の領域のうち少なくとも一方には、不純物が選択的に添加されていることを特徴とするＥＬ表示装置。
【請求項２】
請求項１において、前記第１の領域は正孔輸送層として機能し、前記第２の領域は電子輸送層として機能することを特徴とするＥＬ表示装置。
【請求項３】
陽極、発光層及び陰極を含むＥＬ素子を有し、前記陽極と前記発光層との界面近傍には選択的に、前記発光層を正孔輸送層又は正孔注入層として機能させうる不純物元素が添加されていることを特徴とするＥＬ表示装置。
【請求項４】
陽極、発光層及び陰極を含むＥＬ素子を有し、前記陰極と前記発光層との界面近傍には選択的に、前記発光層を電子輸送層又は電子注入層として機能させうる不純物元素が添加されていることを特徴とするＥＬ表示装置。
【請求項５】
陽極、発光層及び陰極を含むＥＬ素子を有し、前記陽極と前記発光層との界面近傍には選択的に、前記発光層を正孔輸送層又は正孔注入層として機能させうる不純物元素が添加されており、前記陰極と前記発光層との界面近傍には選択的に、前記発光層を電子輸送層又は電子注入層として機能させうる不純物元素が添加されていることを特徴とするＥＬ表示装置。  
【請求項６】
陽極、発光層及び陰極を含むＥＬ素子を有し、前記陽極と前記発光層との界面近傍には選択的にハロゲン元素が添加されていることを特徴とするＥＬ表示装置。  
【請求項７】
陽極、発光層及び陰極を含むＥＬ素子を有し、前記陰極と前記発光層との界面近傍には選択的にアルカリ金属元素又はアルカリ土類金属元素が添加されていることを特徴とするＥＬ表示装置。  
【請求項８】
陽極、発光層及び陰極を含むＥＬ素子を有し、前記陽極と前記発光層との界面近傍には選択的にハロゲン元素が添加され、前記陰極と前記発光層との界面近傍には選択的にアルカリ金属元素又はアルカリ土類金属元素が添加されていることを特徴とするＥＬ表示装置。  
【請求項９】
請求項６又は８において、前記ハロゲン元素はフッ素、塩素、臭素又はヨウ素から選ばれた元素であることを特徴とするＥＬ表示装置。  
【請求項１０】
請求項７又は８において、前記アルカリ金属元素はリチウム、ナトリウム、カリウム又はセシウムから選ばれた元素であることを特徴とするＥＬ表示装置。  
【請求項１１】
請求項７又は８において、前記アルカリ土類金属元素はベリリウム、マグネシウム、カルシウム又はバリウムから選ばれた元素であることを特徴とするＥＬ表示装置。  
【請求項１２】
請求項１乃至請求項１１のいずれか一において、前記陽極は透明導電膜で形成され、前記陰極はアルカリ金属元素又はアルカリ土類金属元素を含む金属膜で形成されていることを特徴とするＥＬ表示装置。  
【請求項１３】
請求項１乃至１２のいずれか一において、前記発光層は、有機材料を含むことを特徴とするＥＬ表示装置。
【請求項１４】
請求項１乃至１３のいずれか一のＥＬ表示装置を用いた装置であって、前記装置は、広告灯、看板、非常口の誘導灯、時計の文字盤、道路標識又はキーボードであることを特徴とする装置。
【請求項１５】
陽極を形成し、  
前記陽極の上に発光層を形成し、  
前記発光層の上に陰極を形成し、  
前記陰極の上にレジストを形成し、  
前記レジストを用いて、前記発光層と前記陽極との界面近傍に対して選択的にハロゲン元素を添加することを特徴とするＥＬ表示装置の作製方法。  
【請求項１６】
陰極を形成し、  
前記陰極の上に発光層を形成し、  
前記発光層の上に陽極を形成し、  
前記陽極の上にレジストを形成し、  
前記レジストを用いて、前記発光層と前記陽極との界面近傍に対して選択的にハロゲン元素を添加することを特徴とするＥＬ表示装置の作製方法。  
【請求項１７】
陽極を形成し、  
前記陽極の上に発光層を形成し、  
前記発光層の上に陰極を形成し、  
前記陰極の上にレジストを形成し、  
前記レジストを用いて、前記発光層と前記陰極との界面近傍に対して選択的にアルカリ金属元素又はアルカリ土類金属元素を添加することを特徴とするＥＬ表示装置の作製方法。  
【請求項１８】
陰極を形成し、  
前記陰極の上に発光層を形成し、  
前記発光層の上に陽極を形成し、  
前記陽極の上にレジストを形成し、  
前記レジストを用いて、前記発光層と前記陰極との界面近傍に対して選択的にアルカリ金属元素又はアルカリ土類金属元素を添加することを特徴とするＥＬ表示装置の作製方法。  
【請求項１９】
陽極を形成し、  
前記陽極の上に発光層を形成し、  
前記発光層の上に陰極を形成し、  
前記陰極の上にレジストを形成し、  
前記レジストを用いて、前記発光層と前記陽極との界面近傍に対して選択的にハロゲン元素を添加し、  
前記レジストを用いて、前記発光層と前記陰極との界面近傍に対して選択的にアルカリ金属元素又はアルカリ土類金属元素を添加することを特徴とするＥＬ表示装置の作製方法。  
【請求項２０】
陰極を形成し、  
前記陰極の上に発光層を形成し、  
前記発光層の上に陽極を形成し、  
前記陽極の上にレジストを形成し、  
前記レジストを用いて、前記発光層と前記陰極との界面近傍に対して選択的にアルカリ金属元素又はアルカリ土類金属元素を添加し、  
前記レジストを用いて、前記発光層と前記陽極との界面近傍に対して選択的にハロゲン元素を添加することを特徴とするＥＬ表示装置の作製方法。  
【請求項２１】
請求項１５、１６、１９及び２０のいずれか一において、前記ハロゲン元素はフッ素、塩素、臭素又はヨウ素から選ばれた元素であることを特徴とするＥＬ表示装置の作製方法。  
【請求項２２】
請求項１７乃至２０のいずれか一において、前記アルカリ金属元素はリチウム、ナトリウム、カリウム又はセシウムから選ばれた元素であることを特徴とするＥＬ表示装置の作製方法。  
【請求項２３】
請求項１７乃至２０のいずれか一において、前記アルカリ土類金属元素はベリリウム、マグネシウム、カルシウム又はバリウムから選ばれた元素であることを特徴とするＥＬ表示装置の作製方法。  
【請求項２４】
請求項１５乃至２３のいずれか一において、前記陽極は透明導電膜で形成され、前記陰極はアルカリ金属元素又はアルカリ土類金属元素を含む金属膜で形成されることを特徴とするＥＬ表示装置の作製方法。  
【請求項２５】
陽極、発光層及び陰極を含む自発光型素子であって、
前記発光層は、少なくとも発光領域と非発光領域を含み、
前記発光領域は、
前記陽極と前記発光層との間の界面に接し、前記発光層中に設けられた第１の領域と、
前記陰極と前記発光層との間の界面に接し、前記発光層中に設けられた第２の領域と、
を有し、
前記第１及び第２の領域のうち少なくとも一方には、不純物が選択的に添加されていることを特徴とする自発光型素子。
【請求項２６】
請求項２５において、前記第１の領域は正孔輸送層として機能し、前記第２の領域は電子輸送層として機能することを特徴とする自発光型素子。
【請求項２７】
陽極、発光層及び陰極を含む自発光型素子であって、前記陽極と前記発光層との界面近傍には選択的に、前記発光層を正孔輸送層又は正孔注入層として機能させうる不純物元素が添加されていることを特徴とする自発光型素子。
【請求項２８】
陽極、発光層及び陰極を含む自発光型素子であって、前記陰極と前記発光層との界面近傍には選択的に、前記発光層を電子輸送層又は電子注入層として機能させうる不純物元素が添加されていることを特徴とする自発光型素子。
【請求項２９】
陽極、発光層及び陰極を含む自発光型素子であって、前記陽極と前記発光層との界面近傍には選択的に、前記発光層を正孔輸送層又は正孔注入層として機能させうる不純物元素が添加されており、前記陰極と前記発光層との界面近傍には選択的に、前記発光層を電子輸送層又は電子注入層として機能させうる不純物元素が添加されていることを特徴とする自発光型素子。
【請求項３０】
陽極、発光層及び陰極を含む自発光型素子であって、前記陽極と前記発光層との界面近傍には選択的にハロゲン元素が添加されていることを特徴とする自発光型素子。
【請求項３１】
陽極、発光層及び陰極を含む自発光型素子であって、前記陰極と前記発光層との界面近傍には選択的にアルカリ金属元素又はアルカリ土類金属元素が添加されていることを特徴とする自発光型素子。
【請求項３２】
陽極、発光層及び陰極を含む自発光型素子であって、前記陽極と前記発光層との界面近傍には選択的にハロゲン元素が添加され、前記陰極と前記発光層との界面近傍には選択的にアルカリ金属元素又はアルカリ土類金属元素が添加されていることを特徴とする自発光型素子。
【請求項３３】
請求項３０又は３２において、前記ハロゲン元素はフッ素、塩素、臭素又はヨウ素から選ばれた元素であることを特徴とする自発光型素子。
【請求項３４】
請求項３１又は３２において、前記アルカリ金属元素はリチウム、ナトリウム、カリウム又はセシウムから選ばれた元素であることを特徴とする自発光型素子。
【請求項３５】
請求項３１又は３２において、前記アルカリ土類金属元素はベリリウム、マグネシウム、カルシウム又はバリウムから選ばれた元素であることを特徴とする自発光型素子。
【請求項３６】
請求項２５乃至請求項３５のいずれか一において、前記陽極は透明導電膜で形成され、前記陰極はアルカリ金属元素又はアルカリ土類金属元素を含む金属膜で形成されていることを特徴とする自発光型素子。
【請求項３７】
請求項２５乃至３６のいずれか一において、前記発光層は、有機材料を含むことを特徴とする自発光型素子。